(57)【要約】      （修正有）【課題】長尺状の複数の線材間に多数の束子毛を挟んで固定し、前記線材を湾曲させ、束子毛のの保持強度を向上させた束子を提供する。【解決手段】長尺状の複数の線材１、１間に多数の束子毛２を挟んで固定し、線材１、１を湾曲させた束子である。線材１、１は、長手方向に直交する断面において厚みａよりも幅ｂの方が大きな長方形をなす平線である。線材１の幅ａ方向に束子毛２の長手方向を沿わせて配置することによって、束子毛２と線材１との接触面積を増やして、保持強度を向上させる。【選択図】図２
0003178846.tif 000002
【実用新案登録請求の範囲】
【請求項１】
長尺状の複数の線材間に多数の束子毛を挟んで固定し、前記線材を螺旋状に捩じり合わせることで前記複数の線材間に多数の束子毛を挟んで固定した束子において、前記線材の少なくとも１本が長手方向に直交する断面において多角形状をなすものを、捩じり合わせたものであることを特徴とする束子。
【請求項２】
前記線材が２本であり、これらの線材が長手方向に直交する断面において厚みよりも幅の方が大きな長方形をなす平線であり、前記平線の幅方向に前記束子毛の長手方向を沿わせて配置したものであることを特徴とする請求項１記載の束子。
【考案の詳細な説明】
【技術分野】
【０００１】
本考案は、束子に関するものである。
【背景技術】
【０００２】
従来より、束子は、種々の物品の洗浄用具や清掃用具の一種として広く用いられている。この束子は、特許文献１は、長尺状の２本の金属線材間に多数の束子毛を挟み、２本の金属線材を捩じることで束子毛を固定し、これらの線材を湾曲させることで、環状にしたものであり、必要に応じて柄を付けて用いられる。特許文献１にも記載されているように、従来の金属線は断面円形であった。そのため、長期の使用によって、束子毛が抜けてしまうという課題がある。
特許文献２に示すように、従来から歯ブラシにおいては、屈曲部から二つ折りにした多数のブリッスルを、歯ブラシのヘッド部に固定するために、断面が矩形の平線が用いられている。この歯ブラシの平線は、屈曲部から二つ折りにしたブリッスルの抜け止めに用いるものであり、金属線材間に多数の束子毛を挟んで固定するものと、基本構造が相違している。
【先行技術文献】
【特許文献】
【０００３】
【特許文献１】実開平７−３７０２２公報
【特許文献２】特開２０１１−２００２９６公報
【考案の概要】
【考案が解決しようとする課題】
【０００４】
本考案は、長尺状の複数の線材間に多数の束子毛を挟んで固定し、前記線材を湾曲させた束子において、束子毛のの保持強度を向上させることを課題とする。
【課題を解決するための手段】
【０００５】
本考案は、長尺状の複数の線材間に多数の束子毛を挟んで固定し、前記線材を湾曲させた束子において、前記線材の少なくとも１本が長手方向に直交する断面において多角形状をなすことを特徴とする束子を提供することによって、上記の課題を解決する。特に、前記線材が２本であり、これらの線材が長手方向に直交する断面において厚みよりも幅の方が大きな長方形をなす平線であり、前記平線の幅方向に前記束子毛の長手方向を沿わせて配置したものとして実施することができる。
【考案の効果】
【０００６】
本考案は、前記線材の少なくとも１本が長手方向に直交する断面において多角形状をなすため、束子毛の保持強度が向上したものである。特に、前記線材が２本であり、これらの線材が長手方向に直交する断面において厚みよりも幅の方が大きな長方形をなす平線であり、前記平線の幅方向に前記束子毛の長手方向を沿わせて配置したことによって、線材と束子毛との接触面積が増大し、保持強度が高まるものである。
【図面の簡単な説明】
【０００７】
【図１】本考案の実施の形態に係る束子の斜視図である。
【図２】同束子の製造工程中の構造説明図である。
【図３】同束子の引っ張り強度試験の説明図である。
【考案を実施するための形態】
【０００８】
以下、図面に基づき本考案の実施の形態を説明する。
この実施の形態の束子は、鉄やステンレスやアルミニウム等の金属製からなる２本の線材１、１間に多数の束子毛２を挟んで固定し、前記線材を湾曲させて、環状にしたものである。束子毛２は、従来の束子と同様、ヤシ、シュロ、カルカヤなどの植物繊維の他、ナイロンやアクリルなどの合成樹脂や、金属などの細いブリッスルによって構成されている。
【０００９】
線材１には、長手方向に直交する断面において厚みａよりも幅ｂの方が大きな長方形をなす平線が用いられている。この線材１は、ブラシの全体の大きさに応じて種々変更することができるが、１０〜４０cm程度の長さを有する。前記の厚みａは、１〜３mm、幅ｂは２〜５mm程度が適当である。
【００１０】
これらの線材１、１の幅方向に、束子毛２の長手方向を沿わせて配置する（図２参照）。次に、常法に従って、固定工程を行なう。この固定工程は、線材１、１間に束子毛２を直交するように並べて、線材１、１を捩じることによって、線材１、１間に束子毛２を挟んで固定するもので、線材１、１は２重螺旋状となり、２重螺旋状となった線材１、１間に束子毛２が強固に固定される。
【００１１】
そして、束子毛２を固定した線材１、１を湾曲させて、線材１、１の両端を溶接や捩じり合わせるなどして固定して、合成樹脂や木製の柄３を取り付けて、本考案の束子が完成する（図１参照）。なお、必要に応じて、束子毛２を線材１、１に固定した後、束子毛２の先端をカットして、束子毛２の寸法や束子全体の形状を整えることもできる。また、この柄３は省略して実施することもできる。
【００１２】
上記の例では、束子毛２の２本の線材１、１で挟んだが、３本や４本の線材で挟むようにしてもよい。また、複数の線材１のうち、少なくとも１本を平線として、他の線材１を断面円形ものとすることもできる。さらに、捩じる前の線材１の断面は、長方形としているが、正方形、３角形、５角形などの他の多角形であってもよい。また、捩じりの加工によって、例えば断面長方形の直線状の辺が曲線状に変形するものであってもよい。
【実施例】
【００１３】
以下、本考案の理解を高めるために、実施例を示すが、本考案はこの実施例に限定して理解されるべきではない。
【００１４】
実施例１
下記の断面長方形の線材を２本用いて、多数の束子毛を、上記の実施の形態に示す方法で固定して、束子を作成し、引っ張り強度試験を行った。
線材の材質：ステンレス
厚み：2mm
幅：3mm
長さ：35cm
束子毛の材質：ポリブチレンテレフタレート（PBT）
長さ：50mm
試験結果
引っ張り強度試験：15.9N（ニュートン）
【００１５】
比較例１
下記の円形の線材を２本用いて、多数の束子毛を、上記の実施の形態に示す方法で固定して、束子を作成した。
線材の材質：ステンレス
直径：3mm
長さ：35cm
束子毛の材質：ポリブチレンテレフタレート（PBT）
長さ：50mm
試験結果
引っ張り強度試験：0.18N（ニュートン）
【００１６】
上記の試験は、図３の模式図に示すように、引張・圧縮試験機にて、実施例１及び比較例１の各束子を上下方向に配置し、最も上の束子毛２を１本、挟持させると共に、下方の柄を挟持して、引張試験を行い、上降伏点（最初に力の減少が観測される瞬間の応力値）を求めた。
【００１７】
試験結果から明らかなように、実施例１の束子は比較例１の束子に比して、上降伏点において８８倍の値を示したものであり、束子毛の保持強度が格段に向上したことが確認された。
【符号の説明】
【００１８】
１  線材
２  束子毛
３  柄
【図１】
0003178846.tif 000003
【図２】
0003178846.tif 000004
【図３】
0003178846.tif 000005